(57)【特許請求の範囲】
【請求項１】
コンピュータによって実行される方法であって、
複数の医療機関から、患者ＩＤと患者を診察した医師の医師ＩＤと診療科とを含む診療情報を取得し記憶部に記憶し、
端末装置から患者ＩＤおよび診療科の指定を含む要求を受信し、
受信した前記患者ＩＤおよび前記診療科に基づいて、対応する医師ＩＤを前記記憶部から取得し、
前記患者ＩＤから取得される患者の主治医か否かを含む情報と所定の算出基準とに基づき、前記医師ＩＤのスコア値を算出し、
取得した前記医師ＩＤ及び前記医師ＩＤのスコア値を含む医師情報を前記端末装置へ出力することを特徴とする方法。
【請求項２】
前記記憶部から取得する処理は、１つ以上の医療機関のための電子カルテシステムにログインしている医師ＩＤを管理するログインテーブルを参照し、前記ログインしている医師ＩＤを取得することを特徴とする請求項１に記載の方法。
【請求項３】
前記記憶部から取得する処理は、前記複数の医療機関を互いに識別する医療機関ＩＤと医療機関が備える医療設備とを管理する医療機関設備テーブルを参照し、前記患者の治療に必要な治療設備を有する医療機関ＩＤの医療機関に所属する医師の医師ＩＤを取得することを特徴とする請求項１又は２に記載の方法。
【請求項４】
前記端末装置へ出力する処理において、前記医師または前記医療機関のアドレスまたは電話番号をさらに出力することを特徴とする請求項１乃至３のうちいずれか１項に記載の方法。
【請求項５】
複数の医療機関から取得した、患者ＩＤと患者を診察した医師の医師ＩＤと診療科とを含む診療情報を記憶した記憶部と、
端末装置から患者ＩＤおよび診療科の指定を含む要求を受信する受信部と、
受信した前記患者ＩＤおよび前記診療科に基づいて、対応する医師ＩＤを前記記憶部から取得する医師ＩＤ取得部と、
前記患者ＩＤから取得される患者の主治医か否かを含む情報と所定の算出基準とに基づき、前記医師ＩＤのスコア値を算出するスコア算出部と、
取得した前記医師ＩＤを含む医師情報を前記端末装置へ出力する医師情報出力部と、
を有することを特徴とするサーバ装置。
【請求項６】
複数の医療機関から、患者ＩＤと患者を診察した医師の医師ＩＤと診療科とを含む診療情報を取得し記憶部に記憶し、
端末装置から患者ＩＤおよび診療科の指定を含む要求を受信し、
受信した前記患者ＩＤおよび前記診療科に基づいて、対応する医師ＩＤを前記記憶部から取得し、
前記患者ＩＤから取得される患者の主治医か否かを含む情報と所定の算出基準とに基づき、前記医師ＩＤのスコア値を算出し、
取得した前記医師ＩＤ及び前記医師ＩＤのスコア値を含む医師情報を前記端末装置へ出力する、
処理をコンピュータに実行させるプログラム。
【発明の詳細な説明】
【技術分野】
【０００１】
本発明は、患者に対して救急医療を行うための救急医療情報の提供方法、装置、及びプログラムに関する。
【背景技術】
【０００２】
従来の救急医療においては、患者または介護者が、電話により医療機関・災害救急情報センタへ電話により連絡を行う。また、救急隊員は、救急車内で確認した病状や患者に対する問診を基にして、幾つかの医療機関（病院）に無線等で連絡する。そして、患者は、収容確認のとれた医療機関まで運ばれ、その医療機関で治療を受ける。従来の救急医療では、救急患者発生時、病院が患者の救急治療や収容を断った為、救急隊員が別の病院を探しているうちに、患者の生命が救えない場合も発生していた。
【０００３】
このように、連絡をした者が、適切な搬送先をその場で判断することが難しい場合がある。受け入れ先が見つかるまで何度も連絡しなおさなければならないという問題点がある。また、医師間で共有される情報は、過去に記載されたカルテデータのみとなる。このため、複数の医師がリアルタイムに患者の状態を把握することも非常に困難である。そのため、患者の症状によっては搬送後に別の医療機関で治療を受けるのが良いと判断される場合もある。このような状況は、救急にもかかわらず対応が遅れてしまう原因となる。
【０００４】
このため、患者からの緊急連絡の際、患者から担当医師に連絡がとれない場合、通話が自動的に連携した他の医師に転送され、転送された医師にその患者の情報が送信される医療情報システムが知られている（特許文献１）。
【０００５】
しかしながら、上述の技術は、予め登録した医師の中から、主治医を優先的に選択できるに過ぎない。
【０００６】
また、通信ネットワークを通して救急医療用センターと医療機関と救急車の車載器などが互いに接続された構成の救急医療システムが知られている（特許文献２）。救急車が緊急医療を必要とされる患者を搬送する事態が発生した場合、救急隊員から患者搬送先医療機関を問い合わせる救急医療申請情報が通信ネットワークを介して救急医療サーバに送信される。救急隊員が、車載機の画面に表示されている救急医療申請表に救急医療申請情報を入力する。救急医療サーバは、救急搬送先の病院の受入状況を把握している。救急車から救急医療申請があった時点において、医療機関に問い合わせすることなく、搬送先医療機関を検索して救急車に通知する。
【０００７】
しかしながら、上述の技術は、搬送のしやすい病院を検索し表示するに止まるものである。
【０００８】
また、携帯電話に電子カルテをダウンロードする技術が知られている（特許文献３）。この技術は、カルテを携帯電話にダウンロードし使用する。
【先行技術文献】
【特許文献】
【０００９】
【特許文献１】特開２０００−３４２５４４号公報
【特許文献２】特開２００９−１８７１６７号公報
【特許文献３】特開２００８−０１５８２０号公報
【発明の概要】
【発明が解決しようとする課題】
【００１０】
以上のように、いずれの従来技術においても、救急患者を適切な医療施設に搬送することや、迅速な手当を施すことに支障が生じる可能性があるという問題があった。
【００１１】
本方法、装置、及びプログラムは、上記実情に鑑みなされたもので、患者、医師、医療機関の情報を総合的に管理することによって、患者に対して救急医療を迅速かつ的確に行うための救急医療情報を提供することを目的とする。
【課題を解決するための手段】
【００１２】
本方法の一観点によれば、コンピュータによって実行される方法であって、複数の医療機関から、患者ＩＤと患者を診察した医師の医師ＩＤと診療科とを含む診療情報を取得し記憶部に記憶し、端末装置から患者ＩＤおよび診療科の指定を含む要求を受信し、受診した前記患者ＩＤおよび前記診療科に基づいて、対応する医師ＩＤを前記記憶部から取得し、取得した医師ＩＤを含む医師情報を前記端末装置へ出力することを特徴とする方法が提供される。
【発明の効果】
【００１３】
開示の方法、装置及びプログラムによって、救急患者のための適切な担当医や医療機関等の情報を提供することができるという効果を奏する。
【図面の簡単な説明】
【００１４】
【図１】本発明の一実施形態としてのシステム構成を示す図である。
【図２】本実施形態の処理フローを示した図である。
【図３】本実施形態の端末に表示される画面を示した図である。
【図４】本実施形態の医療機関の治療設備情報の例を示す図である。
【図５】本実施形態における医療機関別設備情報の図である。
【図６】本実施形態における症状に対応する設備情報の図である。
【図７】本実施形態のカルテ情報の一部を示す図である。
【図８】本実施形態の医師情報の一部を示す図である。
【図９】本実施形態のログイン状態を示す図である。
【図１０】本実施形態の症状と診療科等の関係を示す図である。
【図１１Ａ】本実施形態のサーバ装置の機能構成を示す図である。
【図１１Ｂ】本実施形態のサーバ装置のハードウエア構成を示す図である。
【図１２Ａ】本実施形態の端末の機能構成を示す図である。
【図１２Ｂ】本実施形態の端末のハードウエア構成を示す図である。
【発明を実施するための形態】
【００１５】
以下、図を参照して本発明の実施の形態を説明する。
【００１６】
図１は、本発明の一実施形態としての救急医療情報の提供システムの構成を示している。医療機関１１０及び医療機関１２０には、それぞれ、救急医療の連絡用に供される端末１１２及び１２２が備えられている。図１では、各医療機関に１台の端末しか示されていないが、診療科毎、医師毎、部屋毎等、複数の端末を設置してもよい。この端末の台数は、医療機関の規模、医師を含むスタッフの数に応じて適切な台数を用意すればよい。また、端末１１２の近くに医師１１１、端末１２２の近くに医師１２１が在籍している。
【００１７】
そして、これらの端末１１２及び１２２は、ネットワーク１３０を介してサーバ装置１０１と接続されている。サーバ装置１０１には、電子カルテシステム１０２および診療情報を含む情報が格納された記憶部１０３が接続されている。なお、サーバ装置１０１の位置は、いずれの場所であってもよく、医療機関内に存在してもよい。また、サーバ装置１０１、電子カルテシステム１０２、記憶部１０３は、複数の機器や記憶装置に分散されていてもよい。サーバ装置１０１と電子カルテシステム１０２とが一つのコンピュータで実現されていてもよい。また、記憶部１０３に格納されたデータは、一つの記憶装置に蓄積されていてもよく、あるいは、任意に複数の記憶装置に分割されて蓄積されていてもよい。
【００１８】
そして、ネットワーク１３０に救急搬送車の端末１４２が接続されている。ネットワーク１３０との接続には、無線回線１３１が用いられている。救急搬送車には、端末１４２を操作できる救急隊員１４４及び患者１４３が乗っている。
【実施例】
【００１９】
図１に示す、医師１１１、医師１２１、及び救急隊員１４４は、それぞれの端末１１２、１２２及び１４２を用いて、相互に連絡をとることができる。連絡手段としては、音声通話、映像通信、キーボードを利用した文字の通信、スキャナ等を利用した画像通信、心電図や血圧等のデータの通信等が含まれてもよい。また、タブレットやボタンなどの入力機器が用いられてもよい。加えて、個人を特定するために、磁気カードリーダ、指紋認証などの生体認証、暗証番号の入力等が用いられてもよい。
【００２０】
また、医療機関１１０及び１２０において、救急患者を受け入れるために必要な空床数（空きベットの数）、手術室の利用状況、心電図の情報（不図示）などもネットワークを経由して、サーバ装置１０１が収集してもよい。この収集されたデータは、記憶部１０３に保管され、利用されてもよい。これらのデータは、各医療機関の治療設備の状況を示す情報として利用され得る。
【００２１】
図２は、一実施例の処理フロー２００を示している。図２は、概略のフローであるため、詳細な内容については、後述する。
【００２２】
まず、患者が救急搬送車に運ばれると、患者の特定ステップ２１１が行われる。例えば、患者が医療機関の診察券を所持していれば、その記載内容から患者が特定できる。さらに、診察券によれば、患者がどの病院で治療を受けた経験があるかも知ることができる。診察券には、磁気媒体を有するもの（磁気カード）や、ＩＣが埋め込まれているものがある。この場合には、カードに記録されている内容を適切なリーダによって読み込んでもよい。患者の特定は、その他種々のものがある。入手できるあらゆる情報を用いて、正確な患者の特定をすることが重要であることは言うまでもない。
【００２３】
ステップ２１５において、患者の情報から患者の診療情報を取得する。例えば、診察券から取得した患者ＩＤ（診察券Ｎｏ等）を、図１のネットワーク１３０を介してサーバ装置１０１に転送し、記憶部１０３に格納されたデータを検索する。このデータの検索により、例えば患者の受診した医療機関、治療を受けている主治医、診療を担当したことがある医師、診療科、病歴等を入手することができる。特に主治医は、患者の症状をよく把握している。このため、救急搬送においても、主治医のいる医療機関へ患者を搬送することが好ましい場合が多い。このステップ２１５において、候補となる医師のＩＤも入手できる。なお、この医師のＩＤをサーバ装置１０１に転送し、記憶部１０３を検索して、医師の所属する医療機関の情報（例えば、手術は可能か、入院のための空きベッドはあるか）等を併せて入手してもよい。この候補医師の情報は、サーバ装置１０１に保持してもよい。
【００２４】
次に、他方のフローについて、説明する。まず、ステップ２２１で、救急隊員等の専門家が、患者の症状や診療科を救急搬送車１４０に設置された端末に入力する。患者に意識がない場合には、救急隊員１４４の所見、心電図等の医療機器の結果を基に、救急隊員が判断する。なお、端末１４２または他の連絡手段を利用して、リモートの医師などに、症状の判断を仰いでもよい。この入力された情報は、診療科を特定するための情報の一例である。
【００２５】
次に、ステップ２２５において、入力された情報がサーバ装置１０１に送られる。サーバ装置１０１は、記憶部１０３を検索して、症状又は診療科に対応する医師を検索する。この検索と同時に、医師の勤務する医療機関の情報（例えば、手術は可能か、入院のための空きベッドはあるか）等を入手してもよい。なお、検索する場合には、医師の所在する地域、付随的な資格等を加味して検索してもよい。ステップ２２５において検索された医師の情報は、サーバ装置１０１に保持しておいてもよい。
【００２６】
ステップ２３０において、患者を診察する候補の医師のＩＤを含む医師の情報が取得される。医師ＩＤがＡ（２３１）である医師乃至、医師ＩＤがＺ（２３３）である医師の情報が取得されている。このリストは、例えばサーバ装置１０１が管理してもよい。そして、この段階で、候補医師のリストを救急搬送車の端末１４２に送信してもよい。また、医療機関１１０又は、１２０のそれぞれの端末１１２又は１２２に転送してもよい。
【００２７】
次に、ステップ２４０において、候補医師の各々に対してスコア値が付与される。スコア値とは、患者の治療にふさわしい医師の優先度を表す一つの指標を意味する。
【００２８】
ステップ２４０のスコア値の計算の一実施例を以下に示す。たとえば、以下に示す５つの条件を設定する。そして、各々の候補医師（例えば医師ＩＤ＝Ａ）のスコア値ＳＡの初期値を０としておく（ＳＡ＝０）。そして、複数の条件をチェックする。例えば、もし条件を満足していれば、値５をＳＡに加える（ＳＡ＝ＳＡ＋５）。もし条件を満足していなければ、値０を加える（ＳＡ＝ＳＡ＋０）。そして、各条件について、全ての候補医師に対してチェックをおこなう。最大のスコア値を持つ医師ＩＤに対応する医師が、患者に対して、最適な医師であると判断してもよい。以下に医師Ａのスコア値ＳＡの算出の一例を示す。
（０）初期値の設定  ＳＡ＝０
（１）患者の症状から、手術が必要であるが、医師の所属医療機関の手術可能性について
医療機関が手術の設備を持っている    ＳＡ＝ＳＡ＋５
医療機関が手術の設備を持っていない  ＳＡ＝ＳＡ＋０
（２）医療機関の手術室に空きはあるか
手術室に空きあり    ＳＡ＝ＳＡ＋５
手術室に空きなし    ＳＡ＝ＳＡ＋０
（３）入院用の空きベッドはあるか
空きベッドあり    ＳＡ＝ＳＡ＋５
空きベッドなし    ＳＡ＝ＳＡ＋０
（４）医師が電子カルテシステムにログインしている（医療機関に勤務中か）
ログイン中    ＳＡ＝ＳＡ＋５
ログアウト中  ＳＡ＝ＳＡ＋０
（５）患者の主治医か
主治医である    ＳＡ＝ＳＡ＋５
主治医でない    ＳＡ＝ＳＡ＋０
ステップ２３０及び２４０の場合、以上の処理（０）乃至（５）（図２における２４１乃至２４５）を、ＳＡからＳＺまで行う。
【００２９】
そして、ステップ２５０において、医師情報やこのスコア値の情報は、サーバ装置１０１から救急搬送車の端末１４２に送信されてもよい。また、同様の情報は医療機関１１０の端末１１２又は、医療機関１２０の端末１２２に送信（配信）されてもよい。
【００３０】
次に、ステップ２５１で、各端末において、医師の優先度（スコア値）にしたがって、医師の情報を画面に表示させてもよい。医師の数が多い場合には、スクロールするようにしてもよい。あるいは、スコア値の上位の一定の数の医師を端末の画面に表示してもよい。
【００３１】
次に、ステップ２５２において、救急隊員と所望の医師との間で、連絡を行ってもよい。また、医師間で連絡をしてもよい。連絡の方法としては、テレビ電話、音声電話等が用いられてもよい。このように、患者の症状に対して対応できる医師と、救急隊員とが相互に連絡を行うことが容易にできる。
【００３２】
そして、ステップ２５３において、所望の医師の在籍する医療機関に患者が搬送される。
【００３３】
図３は、本実施形態の端末に表示される画面を示す。図３（ａ）は、救急搬送車の端末１４２の画面の例であり、患者及び救急隊員が見る画面３１０を示している。また、図３（ｂ）は、例えば医療機関１２０の端末１２２の画面の例であり、医師Ａが見る画面３５０を示している。
【００３４】
まず、図３（ａ）について説明する。画面の左に、患者情報３２０が表示されている。救急隊員が確認し入力した患者の識別情報等を基に、サーバ装置１０１が記憶部１０３を用いて患者に関する情報を検索し、端末１４２に転送された情報が３２０の欄に表示される。また、救急隊員は、患者の状況を基にして、診療科の欄３４３又は症状の欄３４５に、情報を入力する。サーバ装置１０１は、これらの情報を基に、３３１乃至３３６の欄に表示されうる情報を含む情報を端末１４２に転送する。その主な情報としては、医師／病院名３３１、診療科３３２、患者の受診回数３３３、現時点における医師のログイン情報３３４、医師の電話番号（連絡アドレス）３３５、医師のランク値に基づく優先度情報３３６が含まれる。なお、検索ボタン３４４及び３４６は、サーバ装置１０１に検索を開始させるためのトリガーのボタンである。
【００３５】
また、図３（ａ）には、高い優先度を持つ医師Ａ３４１及び医師Ｃ３４２の動画像が表示されている。これらは、テレビ電話の画像であり、患者又は救急隊員は、図示しないスピーカとマイクによって、医師Ａ及び医師Ｃとリアルタイムのコミュニケーションが行える。また、医師Ａと医師Ｃとがコミュニケーションを取ることも可能である。これについては図３（b）で述べる。
【００３６】
このように、患者及び救急隊員は、患者を識別する情報（例えば患者ＩＤ）、診療科又は症状を端末１４２に入力する。医師を選択すれば、その医師とコミュニケーションをとることができる。この環境において、医師Ａ、医師Ｃ及び救急隊員が、救急搬送車内においても適切な応急処置が行えると共に、搬送すべき病院を迅速に決めることができる。
【００３７】
図３（ｂ）は、医師Ａが見ている端末の画面３５０の例を示している。図３（ａ）と同じ項目については、説明を省略する。医療機関３５１の欄は、医療機関の詳細を表示するためのリンクボタン「詳細」が表示されている。医療機関の詳細を確認したい場合には、対応する欄の「詳細」をタップ（または選択）することにより、画面を切り替えることができる。その詳細については、図４を用いて詳述する。
【００３８】
動画像３５２は、救急搬送車内の動画像であり、現在は救急隊員が表示されている。なお、患者を映し出すことも可能である。患者を表示することにより、医師Ａは、患者の病状をより詳細に把握することができる。また、医師は、患者や救急隊員とのコミュニケーションを図ることができる。また、画像３５３は、医師Ｄの動画も表示されている。図３（ａ）の端末は、医師Ａの見ている端末であるため、医師Ａの画像の表示は省略されている。なお、医師Ａの画像を表示させてもよい。医師Ａは、この画面３５０を用いて、救急隊員や患者ばかりでなく、他の関連する医師Ｃ及び医師Ｄとコミュニケーションをとってもよい。これによって、他の医師からの適切なアドバイスを得ることも可能である。また、患者の搬送先についての調整を行うことも可能である。
【００３９】
図４は、本実施形態の医療機関の治療設備情報の画面表示の例を示す図である。この情報によって、医療機関の設備が患者の治療に役立つか否かを確かめることができる。また、手術が可能であるか否か、入院の可否を判断するための空床数（空きベットの数）等を確認することもできる。これらの医療機関の設備情報は、上述したように、サーバ装置１０１の管理する記憶部１０３等に蓄積されている。そしてこの情報は、各医療機関とネットワークで結ばれたサーバ装置１０１または他のシステム（不図示）によりリアルタイムで更新されてもよい。したがって、図４に表示された情報は、患者の搬送先を適切に決定するための基礎情報として利用することができる。
【００４０】
以上、各端末に表示される情報の一実施形態を説明したが、本発明は、上述の説明に限定されるものではない。
【００４１】
次に、図５及び図６を用いて、医療機関が患者の治療に必要な治療設備を有するか否かを判断するための手法と情報管理に関する事例を説明する。
【００４２】
図５は、医療機関設備テーブル１の内容の例として、本実施形態における医療機関別設備情報を示している。サーバ装置１０１、又はこのサーバ装置１０１に接続された他のシステム（不図示）は、この情報を保持し、常にアップデートしてもよい。サーバ装置１０１は、各医療機関の設備の変更情報をリアルタイムに入手することにより、この情報をアップデートすることができる。なお、医療機関には、医療機関ＩＤを付与して管理してもよい。
【００４３】
図６は、医療機関設備テーブル２の内容の例として、本実施形態における症状に対応する設備情報を示している。このテーブルは、新しい医療機器が利用可能になった場合には、アップデートされてもよい。設備名に対応して、症状として、大分類、中分類、小分類、及び病名のエントリが並んでいる。そして、病名には、国際医療疾病分類（第１０版）に基づくＩＤＣ１０コードが付与されている。ＩＤＣ１０コードは、国際的な規格の一つであるため、この情報を付与しておくことにより、他の医療システムとの連携を図るときに有利である。また、医師等の専門家がこのコードにより病名を指定することも可能である。
【００４４】
図５及び図６のテーブルには、共通のエントリとして「設備」のエントリが存在する。したがって、この２つのテーブル（医療機関設備テーブル１及び医療機関設備テーブル２）を用いることにより、症状に対応できる医療機関を迅速に検索することができる。また、このように２つのテーブルに分けることにより、管理が容易となり、かつテーブルの情報量を小さくすることができる。
【００４５】
図７は、本実施形態のカルテ情報の一部を示している。この例の場合には、複数の病院のカルテを扱うデータ構造となっている。エントリとしては、病院名、日付、患者ＩＤ、患者名、診療科、記載者（医師名）などが含まれる。このカルテ情報を用いることにより、患者ＩＤ（又は患者名）が分かれば、診察した医師、医療機関、診療科を知ることができる。
【００４６】
図８は、本実施形態の医師情報の一部を示している。この情報を用いることにより、例えば診療科を検索キーとして、医師名、医療機関名、及び医師の資格を知ることができる。この情報により、患者を治療できる医師を検索することができる。
【００４７】
図９は、本実施形態のログイン状態を示している。通常、医師が処方箋を出す場合には、電子カルテシステム９０１に対してログインを行う。ログインを行うことによって、自分が処方箋を発行できる資格のある医師であることを電子カルテシステム９０１に確認させることができる。一実施形態では、この電子カルテシステム９０１に対するログイン情報を利用して、医師が医療機関に存在することを確認している。ログインテーブル９１０には、医師ＩＤ９１１、ログイン時刻９１２、ログアウト時刻９１３が含まれる。したがって、図９に示される例の場合には、Ｒ医師及びＥ医師はログインを行っており、ログアウトしていないため、医療機関内にいることが推定できる。なお、医師が医療機関内にいることが確認できる他の手段を用いてもよい。例えば、出退勤システム、出入り口のセキュリティシステムなどの情報を用いてもよい。
【００４８】
図１０は、本実施形態の症状及び診療科等の関係を示している。例えば、くも膜下出血の症状を呈している場合には、診療科は脳神経外科であることが分かる。加えて、手術の要否、医師の資格の情報を保持している。この情報を用いることにより、例えば、症状だけを入力しても、診療科、必要な処置、医師の資格を知ることができる。この情報は、適切な医師を発見するためのスコア値の算出に利用してもよい。
【００４９】
図７乃至図１０のデータは、記憶部１０３又はその他の記憶装置（不図示）に記憶されている。以上、各種のデータの構造について説明したが、上述の説明は、本発明を限定するためのものではない点に留意すべきである。
【００５０】
図１１Ａは、本実施形態のサーバ装置１１００の機能構成を示している。サーバ装置１１００は、端末装置１２００、外部医療機関１１５０と接続されてもよい。サーバ装置内には、受信部１１０１、医師ＩＤ取得部１１０２、医師情報出力部１１０３、スコア算出部１１０４、ログインテーブル１１３６を含む電子カルテシステム１１３５、診療情報１１２５、医療機関設備テーブル１１２６を含む記憶部１１２０を有してもよい。また、外部医療機関１１５０は、ログインテーブル１１５６を含む電子カルテシステム１１５５を備えてもよい。受信部１１０１は、端末装置１２００から患者ＩＤ及び診療科の指定を含む要求を受信する。医師ＩＤ取得部は、取得された患者ＩＤ及び診療科に基づいて、対応する医師ＩＤを記憶部１１２０の診療情報１１２５から取得する。医師情報出力部は、取得された医師ＩＤを含む医師情報を必要に応じて記憶部から取得して端末装置１２００に出力する。
【００５１】
また、医師ＩＤ取得部１１０２は、電子カルテシステム１１３５内のログインテーブル１１３６を参照して、ログインしている医師ＩＤを取得する。なお、医師ＩＤ取得部１１０２は、外部医療機関１１５０の電子カルテシステム１１５５内のログインテーブル１１５６を参照して、ログインしている医師ＩＤを取得してもよい。
【００５２】
さらに、医師ＩＤ取得部１１０２は、医療機関設備テーブル１１２６を参照し、患者の治療に必要な治療設備を有する医療機関ＩＤの医療機関に所属する医師の医師ＩＤを取得してもよい。
【００５３】
なお、記憶部１１２０内の情報は、複数の外部医療機関１１５０から適切なものを取得してもよい。あるいは、サーバ装置１１００が、外部の医療機関に必用な情報を問い合わせてもよい。したがって、記憶部の場所は、サーバ装置から遠隔地にあってもよい。また、電子カルテシステムもサーバ装置の外に存在してもよい。
【００５４】
また、スコア算出部１１０４は、既に図２のステップ２４０において説明したように、予め定められた基準に基づいて、医師ＩＤに対応するスコア値を算出する。このスコア値は、医師情報出力部１１０３を介して端末装置１２００に出力される。端末装置１２００では、このスコア値を基にして、医師の表示順序を制御してもよい。また、医師情報出力部１１０３は、医師の電話番号やアドレスを端末装置１２００に出力してもよい。
【００５５】
図１１Ｂは、本実施形態のサーバ装置１１００のハードウエア構成を示す図である。サーバ装置１１００は、ＣＰＵ１１１１、ＲＯＭ１１１２、ＲＡＭ１１１３、Ｉ／Ｏ１１１４、ハードディスク及びリムーバブルディスクを読み書きし得るドライブ１１１５、入力装置１１１６、出力装置１１１７、表示装置１１１８、通信装置１１１９等が、バス１１６０で接続されている。図１１Ａに示される各機能部は、ＣＰＵ１１１１が適切なプログラムを読み込んで実行することで、仮想的に実現されてもよい。
【００５６】
また図１２Ａは、本実施形態の医療機関や救急搬送車に設置される端末装置１２００の機能構成を示している。端末装置１２００は、入力部１２０１、表示部１２０２、選択部１２０３、端末接続部１２０４、送信部１２０５、及び受信部１２０６を含んでもよい。また、端末装置は、サーバ装置１１００および他の端末１２５０と接続されてもよい。
【００５７】
入力部１２０１は、患者ＩＤや診療科を入力するために用いられる。入力されたこれらの情報は、送信部１２０５によってサーバ装置１１００に送信される。サーバ装置から送信された情報は、受信部１２０６で受信される。表示部１２０２は、サーバ装置から送られた医師情報をスコア値に基づいて優先順序をつけて表示してもよい。選択部１２０３は、救急隊員からの選択入力を受け付ける。例えば、医師が選択された場合には、選択された医師の電話番号やアドレスの情報を用いて、端末接続部１２０４によって、医師の端末に接続される。
【００５８】
図１２Ｂは、本実施形態の端末装置１２００のハードウエア構成を示す図である。端末装置１２００は、ＣＰＵ１２１１、ＲＯＭ１２１２、ＲＡＭ１２１３、Ｉ／Ｏ１２１４、ハードディスク及びリムーバブルディスクを読み書きし得るドライブ１２１５、入力装置１２１６、出力装置１２１７、表示装置１２１８、通信装置１２１９等が、バス１２６０で接続されている。図１２Ａに示される各機能部は、ＣＰＵ１２１１が適切なプログラムを読み込んで実行することで、仮想的に実現されてもよい。
【００５９】
以上の複数の実施形態に関し、さらに以下の付記を記載する。
（付記１）
コンピュータによって実行される方法であって、
複数の医療機関から、患者ＩＤと患者を診察した医師の医師ＩＤと診療科とを含む診療情報を取得し記憶部に記憶し、
端末装置から患者ＩＤおよび診療科の指定を含む要求を受信し、
受診した前記患者ＩＤおよび前記診療科に基づいて、対応する医師ＩＤを前記記憶部から取得し、
取得した医師ＩＤを含む医師情報を前記端末装置へ出力することを特徴とする方法。
（付記２）
前記記憶部から取得する処理は、１つ以上の医療機関のための電子カルテシステムにログインしている医師ＩＤを管理するログインテーブルを参照し、前記ログインしている医師ＩＤを取得することを特徴とする付記１に記載の方法。
（付記３）
前記記憶部から取得する処理は、前記複数の医療機関を互いに識別する医療機関ＩＤと医療機関が備える医療設備とを管理する医療機関設備テーブルを参照し、前記患者の治療に必要な治療設備を有する医療機関ＩＤの医療機関に所属する医師の医師ＩＤを取得することを特徴とする付記１又は２に記載の方法。
（付記４）
予め定められた基準に基づき、前記医師ＩＤのスコア値を算出し、
前記端末装置に出力する処理において、さらに前記スコア値を出力することを特徴とする付記１乃至３のうちいずれか１項に記載の方法。
（付記５）
前記端末装置へ出力する処理において、前記医師または前記医療機関のアドレスまたは電話番号をさらに出力することを特徴とする付記１乃至４のうちいずれか１項に記載の方法。
（付記６）
複数の医療機関から取得した、患者ＩＤと患者を診察した医師の医師ＩＤと診療科とを含む診療情報を記憶した記憶部と、
端末装置から患者ＩＤおよび診療科の指定を含む要求を受信する受信部と、
受診した前記患者ＩＤおよび前記診療科に基づいて、対応する医師ＩＤを前記記憶部から取得する医師ＩＤ取得部と、
取得した医師ＩＤを含む医師情報を前記端末装置へ出力する医師情報出力部と、
を有することを特徴とするサーバ装置。
（付記７）
前記医師ＩＤ取得部は、１つ以上の医療機関のための電子カルテシステムにログインしている医師ＩＤを管理するログインテーブルを参照し、前記ログインしている医師ＩＤを取得することを特徴とする付記６に記載のサーバ装置。
（付記８）
前記医師ＩＤ取得部は、前記複数の医療機関を互いに識別する医療機関ＩＤと医療機関が備える医療設備とを管理する医療機関設備テーブルを参照し、前記患者の治療に必要な治療設備を有する医療機関ＩＤの医療機関に所属する医師の医師ＩＤを取得することを特徴とする付記６又は７に記載のサーバ装置。
（付記９）
予め定められた基準に基づき、前記医師ＩＤのスコア値を算出するスコア算出部をさらに有し、
前記医師情報出力部は、さらに前記スコア値を出力することを特徴とする付記６乃至８のうちいずれか１項に記載のサーバ装置。
（付記１０）
前記医師情報出力部は、前記医師または前記医療機関のアドレスまたは電話番号をさらに、出力することを特徴とする付記６乃至９のうちいずれか１項に記載のサーバ装置。
（付記１１）
複数の医療機関から、患者ＩＤと患者を診察した医師の医師ＩＤと診療科とを含む診療情報を取得し記憶部に記憶し、
端末装置から患者ＩＤおよび診療科の指定を含む要求を受信し、
受診した前記患者ＩＤおよび前記診療科に基づいて、対応する医師ＩＤを前記記憶部から取得し、
取得した医師ＩＤを含む医師情報を前記端末装置へ出力する、
処理をコンピュータに実行させるプログラム。
（付記１２）
前記記憶部から取得する処理は、１つ以上の医療機関のための電子カルテシステムにログインしている医師ＩＤを管理するログインテーブルを参照し、前記ログインしている医師ＩＤを取得することを特徴とする付記１１に記載のプログラム。
（付記１３）
前記記憶部から取得する処理は、前記複数の医療機関を互いに識別する医療機関ＩＤと、医療機関が備える医療設備を管理する医療機関設備テーブルを参照し、前記患者の治療に必要な治療設備を有する医療機関ＩＤの医療機関に所属する医師の医師ＩＤを取得することを特徴とする付記１１又は１２に記載のプログラム。
（付記１４）
予め定められた基準に基づき、前記医師ＩＤのスコア値を算出し、
前記端末装置に出力する処理において、さらに前記スコア値を出力することを特徴とする付記１１乃至１３のうちいずれか１項に記載のプログラム。
（付記１５）
前記端末装置へ出力する処理において、前記医師または前記医療機関のアドレスまたは電話番号をさらに出力することを特徴とする付記１１乃至１４のうちいずれか１項に記載のプログラム。
【符号の説明】
【００６０】
１０１  サーバ装置
１０２  電子カルテシステム
１０３  記憶部
１１０  医療機関
１１２  端末
１２０  医療機関
１２２  端末
１２４  端末
１３０  ネットワーク
１３１  無線回線
１４０  救急搬送車
１４２  端末
【図１】
0005678770.tif 000002
【図２】
0005678770.tif 000003
【図３】
0005678770.tif 000004
【図４】
0005678770.tif 000005
【図５】
0005678770.tif 000006
【図６】
0005678770.tif 000007
【図７】
0005678770.tif 000008
【図８】
0005678770.tif 000009
【図９】
0005678770.tif 000010
【図１０】
0005678770.tif 000011
【図１１Ａ】
0005678770.tif 000012
【図１１Ｂ】
0005678770.tif 000013
【図１２Ａ】
0005678770.tif 000014
【図１２Ｂ】
0005678770.tif 000015